(57)【要約】【課題】播種作業を行うにあたって新たに湛水直播専用の田植機を購入することを要さず、また、播種精度が低下することを抑制することができるものを提供する。【解決手段】繰出装置１１から種子を繰出して圃場に播く播種装置１０であって、他の作業機を介さずにトラクタ１の後部に装着されるものであり、好ましくは、トラクタ１が走行しながら播種動作を行うときに、トラクタ１の後方における播種装置１０の周りの圃場の泥の流通方向を調節して、播種装置１０の外側に広がって流れないように泥を案内する案内部２０を備える。【選択図】図１
2020103187.tif 000002
【特許請求の範囲】
【請求項１】
繰出装置から種子を繰出して圃場に播く播種装置であって、
他の作業機を介さずにトラクタの後部に装着される、播種装置。
【請求項２】
前記トラクタが走行しながら播種動作を行うときに、前記トラクタの後方における前記播種装置の周りの圃場の泥の流通方向を調節して、前記播種装置の外側に広がって流れないように前記泥を案内する、案内部を備える、
請求項１に記載の播種装置。
【請求項３】
前記トラクタの後輪の後方に配置されて前記トラクタが走行することによって形成される車輪跡を整地する、整地部を備える、
請求項１または請求項２に記載の播種装置。
【請求項４】
前記トラクタの後輪の後方に配置されて前記トラクタが走行することによって後方に泥が飛散することを抑制する、泥除け部を備える、
請求項１から請求項３のいずれか一項に記載の播種装置。
【請求項５】
圃場の泥に浮遊する稲藁を土の中に押し込む、藁押え部を備える、
請求項１から請求項４のいずれか一項に記載の播種装置。
【発明の詳細な説明】
【技術分野】
【０００１】
本発明は、繰出装置から種子を繰出して圃場に播く播種装置の技術に関する。
【背景技術】
【０００２】
従来、稲作の栽培面積を増加させるにあたって直接栽培（湛水直播）を行うことが知られている。前記直播栽培では、水を湛えた状態の水田（圃場）に粒状の水稲の種子を直接播く。前記直播栽培に用いる種子には、過酸化カルシウムや鉄などで表面がコーティングされたものや、このようなコーティングが施されないものがある。
前記粒状の種子を直接圃場に播く装置として、種子が収納されるホッパと種子を所定量毎に繰出す繰出装置とを備える播種装置に関する技術は種々知られている（特許文献１参照）。
前記播種装置は、走行部の後部に前記播種装置を備える湛水直播専用の田植機として構成され、また、トラクタの後部に装着されたハロー等の作業機の後部に装着されて、走行部やトラクタを走行させながら播種動作を行う。
【先行技術文献】
【特許文献】
【０００３】
【特許文献１】特開２０１４−１３５９２３号公報
【発明の概要】
【発明が解決しようとする課題】
【０００４】
しかしながら、播種装置を用いて播種作業を行うにあたって、湛水直播専用の田植機を所有していない場合には、新たにこれを購入することを要する。また、トラクタを用いて播種作業を行う場合には、ハロー等の作業機の後部からの濁流によって播種精度が低下する場合がある。
【０００５】
本発明は以上の如き状況に鑑みてなされたものであり、播種作業を行うにあたって新たに湛水直播専用の田植機を購入することを要さず、また、播種精度が低下することを抑制することができるものを提供することを課題とする。
【課題を解決するための手段】
【０００６】
本発明の解決しようとする課題は以上の如くであり、次にこの課題を解決するための手段を説明する。
【０００７】
即ち、請求項１においては、繰出装置から種子を繰出して圃場に播く播種装置であって、他の作業機を介さずにトラクタの後部に装着されるものである。
【０００８】
請求項２においては、前記トラクタが走行しながら播種動作を行うときに、前記トラクタの後方における前記播種装置の周りの圃場の泥の流通方向を調節して、前記播種装置の外側に広がって流れないように前記泥を案内する、案内部を備えるものである。
【０００９】
請求項３においては、前記トラクタの後輪の後方に配置されて前記トラクタが走行することによって形成される車輪跡を整地する、整地部を備えるものである。
【００１０】
請求項４においては、前記トラクタの後輪の後方に配置されて前記トラクタが走行することによって後方に泥が飛散することを抑制する、泥除け部を備えるものである。
【００１１】
請求項５においては、圃場の泥に浮遊する稲藁を土の中に押し込む、藁押え部を備えるものである。
【発明の効果】
【００１２】
本発明の効果として、以下に示すような効果を奏する。
即ち、本発明によれば、播種作業を行うにあたって新たに湛水直播専用の田植機を購入することを要さず、また、播種精度が低下することを抑制することができる。
【図面の簡単な説明】
【００１３】
【図１】本発明の実施形態に係る播種装置がトラクタ一に装着された状態を示す側面図。
【図２】同じく播種装置がトラクタ一に装着された状態を示す背面図。
【図３】同じく播種装置がトラクタ一に装着された状態を示す平面図。
【図４】同じく播種装置の正面図。
【図５】同じく播種装置の背面図。
【図６】同じく播種装置の平面図。
【図７】同じく播種装置の底面図。
【図８】同じく播種装置の左側面図。
【図９】同じく播種装置の右側面図。
【図１０】同じく播種装置の左側面図。
【図１１】同じく播種装置の拡大正面図。
【図１２】同じく播種装置の拡大斜視図。
【発明を実施するための形態】
【００１４】
次に、本発明の実施形態に係る播種装置１０について、図１から図１２を用いて説明する。
【００１５】
播種装置１０は、湛水直播を行うものであり、水を湛えた状態の水田（圃場）に粒状の水稲の種子を直接播く。前記種子には、過酸化カルシウムや鉄などで表面がコーティングされたものや、このようなコーティングが施されないものがある。
図１から図３に示すように、播種装置１０は、他の作業機（播種装置１０以外のハローや耕運機等の作業機）を介さずにトラクタ１の後部の作業機装着装置９に直接装着される。
図１から図１２に示すように、播種装置１０は、繰出装置１１と、ホッパ１２と、伝達軸１３と、ギアケース１４と、装着部１５と、案内部２０と、フロート３０と、溝切部４０と、整地部５０と、泥除け部６０と、藁押え部７０と、を備える。
【００１６】
繰出装置１１は、粒状の種子を所定量毎に（点播するように）の下部の排出口から繰出す。繰出装置１１は、左右方向に条数分複数台（例えば、１２台）並べて播種フレーム８０に配置される。繰出装置１１の個数については、要求仕様や条件等に応じて適宜変更可能とされる。
繰出装置１１の上部には、それぞれ種子が収納されるホッパ１２が設けられる。
繰出装置１１には、ギアケース１４から左右にそれぞれ伸出する伝達軸１３が挿通される。ギアケース１４は、内部にモータを有し、播種フレーム８０の左右中央部に配置される。伝達軸１３は、ギアケース１４内のモータが駆動することによって回転駆動する。そして、繰出装置１１には、伝達軸１３が回転駆動することによって繰出装置１１内の目皿が回転駆動させて、ホッパ１２内の種子を所定量毎に繰出す。
なお、このようなギアケース１４内のモータを動力源として繰出装置１１が種子を繰出す構成以外にも、トラクタ１のエンジンからの動力がＰＴＯ軸や入力軸等を介してギアケース１４内に伝達されて伝達軸１３が回転駆動する構成、また、トラクタ１が走行して後輪６または前輪７等が回転することによって生じる動力が入力軸等を介してギアケース１４内に伝達されて伝達軸１３が回転駆動する構成とすることもできる。
【００１７】
図１から図３に示すように、トラクタ１は、農作業用のトラクタ１であり、機体フレーム２前部のボンネット３内にエンジンが配置され、ボンネット３の後部にダッシュボード４が設けられ、ダッシュボード４の後方にオペレータが着座する運転席５が設けられる。運転席５の下方には、変速装置を収納するミッションケースが配設され、ミッションケースの後部両側には、リアアクスルケースを介して後輪６が支承される。後輪６の前方においてはフロントアクスルケースを介して前輪７が支承される。ダッシュボード４上または運転席５周りには、ステアリングハンドル、作業機昇降スイッチ、前後進切換レバー、変速レバー、またはアクセルレバー等を備える操作部８が設けられる。
トラクタ１の機体後部に作業機装着装置９が設けられる。
作業機装着装置９は、トップリンク９ａとロアリンク９ｂとを備えるクイックヒッチであり、作業機（播種装置１０）を装着可能に構成され、操作部８（作業機昇降スイッチ）を操作することによって油圧シリンダを動作させて、装着される作業機を昇降可能とされる。
【００１８】
図１から図１２に示すように、案内部２０は、播種フレーム８０の左端部と右端部とにそれぞれ設けられ、播種装置１０の左側部または右側部を構成する。案内部２０は、トラクタ１が走行しながら播種装置１０が播種動作を行うとき、トラクタ１の後方における播種装置１０の周りの圃場の泥（泥または泥水）の流通方向（濁流の流通方向）を調節して、播種装置１０の外側に広がって流れないように泥を案内する。
案内部２０は、外ガイド部材２１と、内ガイド部材２２と、を備える。
【００１９】
案内部２０の外ガイド部材２１は、播種装置１０の外側に広がって流れないように泥を案内する。
外ガイド部材２１は、前後方向を長手方向とする板状部材であって、上端部が内側に折曲げられて正面視で略Ｌ字状に構成される。外ガイド部材２１は、取付板を介して播種フレーム８０の左端部または右端部に固定され、繰出装置１１（最も左方または最も右方に配置される繰出装置１１）の外側に配置される。外ガイド部材２１の前端部は整地フレーム８８よりも前方に位置し、トラクタ１の後輪６の側方に至る。外ガイド部材２１の後端部は播種フレーム８０よりも後方に位置する。外ガイド部材２１の前下縁部は、前方に行くに従って緩やかに上方に湾曲する弧状に形成される。
【００２０】
案内部２０の内ガイド部材２２は、外ガイド部材２１の内側において、泥の流通方向を内側に向けつつ泥の流勢を減速させる。
内ガイド部材２２は、平面視で９０°（略ク字状）に一枚の板状の部材を折曲げ加工した部材であり、左右の内ガイド部材２２の角部が互いに向き合うように、外ガイド部材２１の内側の面（左方の外ガイド部材２１の右方の面または右方の外ガイド部材２１の左方の面）に配置される。
内ガイド部材２２は、整地フレーム８８の側方に位置し、トラクタ１の後輪６よりも後方に位置し、播種フレーム８０よりも前方に位置する。
【００２１】
以上のように、案内部２０によって、トラクタ１の後方における播種装置１０の周りの圃場の泥の流通方向を調節して、播種装置１０の外側に広がって流れないように泥を案内することから、圃場面を安定させて播種作業を確実に行うことができる。
また、案内部２０では、板状の部材をそれぞれ折曲げ加工することによって外ガイド部材２１と内ガイド部材２２とが構成されることから、播種装置１０の外側に広がって流れないように泥を案内するものを簡易な構成で実現することができる。
【００２２】
案内部２０には、台車２５が着脱可能に設けられる。播種装置１０の搬送時やトラクタ１の移動時等には台車２５が案内部２０に装着される。また、播種作業を行うときには台車２５が案内部２０から取外される（図１０参照）。
台車２５は、両側の案内部２０のそれぞれの外側に配置される。
台車２５は、台部２６と、車輪２７と、取付体２８と、を備える。台車２５の台２６部は前後方向を長手方向とする棒状の部材である。台車２５の車輪２７は台部２６の下面の前部と後部とにそれぞれ設けられる。台車２５の取付体２８は、台車２５が案内部２０に装着されるときに案内部２０の支持体２４に支持される棒状の部材であり、台部２６の前後略中央部から上方に突出するように設けられる。
案内部２０の外ガイド部材２１部材の外側の面には、支持体２３が設けられる。支持体２３は、平面視略Ｕ字状のステーであり、台車２５が案内部２０に装着されるときに台車２５の取付体２８を支持する。
台車２５の取付体２８を案内部２０の支持体２３内に配置した状態で、台車２５の取付体２８を案内部２０の支持体２３にＵ字ピンを換挿することによって、台車２５が案内部２０に装着される。
【００２３】
播種フレーム８０には取付部材８１が設けられる。
取付部材８１は播種フレーム８０の前方に配置される。取付部材８１は、後面部と上面部とを有するように（側面視略Ｌ字状に）板状の部材を折曲げ加工した左右方向を長手方向とする部材であって、その上面に複数個の張出部を下方に突出するように設け、その左右後面にそれぞれ支持体５１を後方に突出するように設けて構成される。取付部材８１の張出部はフロート３０に固定され、支持部の後端部は播種フレーム８０に固定される。
【００２４】
フロート３０は、取付部材８１を介して播種フレーム８０に設けられ、播種装置１０が泥中に沈まないように支持する。
フロート３０は、前方に行くに従って緩やかに上方に湾曲するように（側面視ノ字状に）一枚の板状の部材を折曲げ加工した左右方向を長手方向とする部材であって、その上面に複数個の張出部を上方に突出するように設けて構成される。フロート３０の張出部が取付部材８１の張出部と固定されることによって、フロート３０が取付部材８１に取付けられる。
フロート３０の後端部は播種フレーム８０の下方（繰出装置１１の後下方）に位置し、フロート３０の前端部は播種フレーム８０及び第一支持フレーム８２の前方に位置する。フロート３０の左端部は最も左方に配置される繰出装置１１よりも外側に位置し、フロート３０の右端部は最も右方に配置される繰出装置１１よりも外側に位置する。フロート３０の左端部は案内部２０の左方の外ガイド部材２１の内側の面に当接し、フロート３０の右端部は案内部２０の右方の外ガイド部材２１の内側の面に当接して、フロート３０と案内部２０の外ガイド部材２１との間からフロート３０内に泥が入込むことが防止される。フロート３０の上端部は案内部２０の外ガイド部材２１の上端部と面一に構成され、フロート３０の下端部は案内部２０の外ガイド部材２１の下端部と面一に構成される。
このように、フロート３０の左端部は最も左方に配置される繰出装置１１よりも外側に位置し、フロート３０の右端部は最も右方に配置される繰出装置１１よりも外側に位置して、フロート３０が比較的大きく構成されることから、フロート３０の下面で圃場をならすことができる。
【００２５】
フロート３０の張出部には、ブラケット等を介して溝切フレーム８９が設けられる。
溝切フレーム８９は、播種フレーム８０の下方に配置される。溝切フレーム８９の左端部は案内部２０の左方の外ガイド部材２１の内側の面に当接し、溝切フレーム８９の右端部は案内部２０の右方の外ガイド部材２１の内側の面に当接する。
溝切フレーム８９には、ブラケット等を介して複数個の溝切部４０が設けられる。
【００２６】
溝切部４０は、種子が播かれた場所に泥が抜け易くまた入り易なるようにトラクタ１が走行することによって圃場に作溝する。
溝切部４０は、比較的大きく構成される大溝切部４１と小溝切部４２とで構成される。
大溝切部４１と小溝切部４２とは、左右方向に交互に並べてフロート３０の下面のから突出するように配置される。大溝切部４１は背面視で繰出装置１１の下方に配置され、小溝切部４２は背面視で繰出装置１１の下方に配置される。小溝切部４２は繰出装置１１よりも前方に位置し、大溝切部４１は小溝切部４２よりも後方に配置される。
大溝切部４１と小溝切部４２との個数や配置箇所等については、要求仕様や条件等に応じて適宜変更可能とされる。
【００２７】
播種フレーム８０にはブラケット等を介して第一支持フレーム８２が設けられる。
第一支持フレーム８２は、播種装置１０の左右中央において播種フレーム８０及びギアケース１４の前方、またフロート３０の上方に配置される。
第一支持フレーム８２の左端部と右端部とのそれぞれには、延出プレート８３が前方に延出するように設けられる。
延出プレート８３の前端部は、フロート３０よりも前方に位置する。左右の延出プレート８３の前端部には、それぞれ上方に行くに従って中央側に傾斜するようにヒッチプレート８４が設けられる。
ギアケース１４の上端からヒッチプレート８４の上端部に亘るようして支持プレート８５が設けられる。
ヒッチプレート８４の上端部にトラクタ１の作業機装着装置９のトップリンク９ａが接続され、延出プレート８３の前端部にトラクタ１の作業機装着装置９のロアリンク９bが接続されることによって、播種装置１０がトラクタ１の作業機装着装置９（トラクタ１の後部）に直接装着される。ヒッチプレート８４と延出プレート８３とで装着部１５が構成される。
【００２８】
以上のように、播種装置１０では、装着部１５を備え、作業機を介さずにトラクタ１の後部に直接装着されることから、播種作業を行うにあたって新たに湛水直播専用の田植機を購入することを要さず、また、ハロー等の作業機の後部からの濁流による影響がなくなり、播種精度が低下することを抑制することができる。
【００２９】
延出プレート８３間を渡るように第二支持フレーム８７が設けられ、第二支持フレーム８７の左端部と右端部とのそれぞれに延出フレーム８７が前下方に延出するように設けられ、延出フレーム８７の前端部に整地フレーム８８が設けられる。
整地フレーム８８は、左右端部がヒッチプレート８４の左右外側に位置し、且つ播種フレーム８０よりも短く構成される。整地フレーム８８はフロート３０よりも前方に配置される。整地フレーム８８には整地部５０が設けられる。
【００３０】
整地部５０は、トラクタ１が走行することによって形成される車輪跡が残った圃場を整地する。整地部５０は、トラクタ１の左方の後輪６と右方の後輪６のそれぞれの後方に配置される。整地部５０は、左右一対の支持体５１・５１と左右一対の整地体５２・５２とを備える。
【００３１】
整地部５０の支持体５１は、棒状の部材であり、下方に突出するようにブラケット等を介して整地フレーム８８に固定される。左方の支持体５１は左方の整地体５２を支持し、右方の支持体５１は右方の整地体５２を支持する。
整地体５２は支持体５１の下部にビス等を介して固定される。整地体５２は板状の部材であり、左方と右方の整地体５２とは上方に行くに従って互いに近接するように（背面視略字状になるように）傾斜した状態で支持体５１に固定される。整地体５２の下縁部は弧状に形成される。
また、支持体５１は、上下方向の取付位置を適宜調節可能に構成される。整地体５２には、複数個のビス孔が形成され、当該支持体５１に固定されるビス孔を適宜選択することによって支持体５１に支持される角度や位置を選択可能に構成される。
【００３２】
以上のように、整地部５０によってトラクタ１が走行することによって形成される車輪跡が残った圃場を整地することから、田植機に比べて車輪が比較的大きいトラクタ１に播種装置１０が装着されて播種動作を行う場合でも、圃場に車輪跡が残ることを抑制することができる。このため、圃場に車輪跡が残ることで発芽不良が生じることを抑制することができる。
また、整地部５０は、整地体５２は板状の部材である左右の整地体５２を支持体５１に固定して構成されることから、トラクタ１が走行することによって形成される車輪跡が残った圃場を整地するものを簡易な構成で実現することができる。
【００３３】
泥除け部６０は、トラクタ１が走行することによって後輪６の後方に泥が飛散することを抑制する。泥除け部６０は、トラクタ１の左方の後輪６と右方の後輪６のそれぞれの後方に配置される。泥除け部６０は、板状の部材であり、フロート３０の前上端部にから上方に立設される。泥除け部６０の上端部はホッパ１２の上端部よりも上方に位置し、泥除け部６０の左右幅はトラクタ１の車輪の左右幅よりも大きく構成される。
【００３４】
以上のように、泥除け部６０によってトラクタ１が走行することによって後輪６の後方に泥が飛散することを抑制することから、播種装置１０（繰出装置１１、ギアケース１４、または装着部１５等）が当該飛散した泥によって汚れることを防止することができる。
【００３５】
フロート３０の前上端部の前方には藁押えフレーム９０が設けられる。藁押えフレーム９０はフロート３０の前方且つ泥除け部６０の後方に配置される。藁押えフレーム９０には藁押え部７０が設けられる。
【００３６】
藁押え部７０は、圃場の泥に浮遊する稲藁を土の中に押し込む。
藁押え部７０は、複数本の棒状が左右方向に並べて配置される構成される。藁押え部７０では、比較的細い棒状の部材の中央部を基部とし、当該基部から左右平行に延出するように背面視で略コ字状に棒状部材を折り曲げて、且つ棒状部材の左右平行に延出する部分を側面視で略１／４円弧状に形成されたものを、固定具等を用いて前記棒状部材の基部近傍を藁押えフレーム９０に固定し、藁押えフレーム９０から後下方に延出させる。そして、藁押え部７０は、このように形成されて藁押えフレーム９０に固定されるものを左右方向に複数個並べたもので構成される。藁押え部７０を構成する前記棒状の部材の先端部（下端部）はフロート３０の下方に位置する。
【００３７】
以上のように、藁押え部７０によって圃場の泥に浮遊する稲藁を土の中に押し込みながら播種作業を行うことができ、播種作業を効率よくまた確実に行うことができる。
また、棒状の部材の中央部の基部の近傍を固定具等を用いて藁押えフレーム９０に固定することから、藁押えフレーム９０への固定状態を安定させることができる。
【００３８】
なお、藁押え部７０は、このように構成されるもの以外に、一本の比較的細い棒状の部材を側面視で略１／４円弧状に形成して藁押えフレーム９０から後下方に延出させたものを、左右方向に複数個並べて構成することもできる。このように構成されるとき、藁押え部７０の棒状の部材の加工を比較的容易に行うことができる。
【符号の説明】
【００３９】
１    トラクタ
９    作業機装着装置
１０  播種装置
１１  繰出装置
１２  ホッパ
１５  装着部
２０  案内部
３０  フロート
４０  溝切部
５０  整地部
６０  泥除け部
７０  藁押え部
【図１】
2020103187.tif 000003
【図２】
2020103187.tif 000004
【図３】
2020103187.tif 000005
【図４】
2020103187.tif 000006
【図５】
2020103187.tif 000007
【図６】
2020103187.tif 000008
【図７】
2020103187.tif 000009
【図８】
2020103187.tif 000010
【図９】
2020103187.tif 000011
【図１０】
2020103187.tif 000012
【図１１】
2020103187.tif 000013
【図１２】
2020103187.tif 000014